【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、
少なくとも第１のセルクラスタと第２のセルクラスタとを形成するために、前記少なくとも１つの分離セルに基づいて前記セルクラスタを分離することと、
前記第１のセルクラスタのための第１のＴＤＤサブフレーム構成と前記第２のセルクラスタのための第２のＴＤＤサブフレーム構成とを設定することとを備える、ワイヤレス通信の方法。
【請求項２】
前記少なくとも１つの分離セルを前記識別することが、セルの前記セルクラスタ中のセル間の結合損失に基づき、ここで、前記セルクラスタからの前記分離セルの分離が前記セルクラスタを少なくとも第１のセルクラスタと第２のセルクラスタとに分割する、請求項１に記載の方法。
【請求項３】
前記第２のＴＤＤサブフレーム構成の１つ以上のアップリンクサブフレームと共存する、前記第１のＴＤＤサブフレーム構成の１つ以上のダウンリンクサブフレームを非アンカーサブフレームに指定することと、
前記分離セルの前記非アンカーサブフレームの前記１つ以上のダウンリンクサブフレームをオールモストブランクサブフレーム（ＡＢＳ）として構成することとをさらに備える、請求項１に記載の方法。
【請求項４】
前記分離セルの前記ＴＤＤサブフレーム構成が、アップリンクサブフレームよりも多いダウンリンクサブフレームを備える、請求項３に記載の方法。
【請求項５】
前記第２のＴＤＤサブフレーム構成の１つ以上のアップリンクサブフレームと共存する、前記第１のＴＤＤサブフレーム構成の１つ以上のアップリンクサブフレームをアンカーサブフレームに指定することと、
前記第２のＴＤＤサブフレーム構成の１つ以上のダウンリンクサブフレームと共存する、前記第１のＴＤＤサブフレーム構成の１つ以上のダウンリンクサブフレームを前記アンカーサブフレームに指定することと、
少なくとも、前記分離セルの前記アンカーサブフレーム中の前記１つ以上のアップリンクサブフレームのうちの１つにアップリンク制御信号をシフトするか、または前記分離セルの前記アンカーサブフレーム中の前記１つ以上のダウンリンクサブフレームのうちの１つにダウンリンク制御信号をシフトすることとをさらに備える、請求項１に記載の方法。
【請求項６】
前記分離セルの前記ＴＤＤサブフレーム構成が、ダウンリンクサブフレームよりも多いアップリンクサブフレームを備える、請求項５に記載の方法。
【請求項７】
前記第２のＴＤＤサブフレーム構成の１つ以上のアップリンクサブフレームと共存する、前記第１のＴＤＤサブフレーム構成の１つ以上のアップリンクサブフレームをアンカーサブフレームに指定することと、
前記分離セルへの１つ以上のアップリンク送信をスケジュールすることと、前記１つ以上のアップリンク送信が前記アンカーサブフレームの前記１つ以上のアップリンクサブフレームに限定される、をさらに備える、請求項１に記載の方法。
【請求項８】
セルクラスタ中の少なくとも１つの分離セルを識別するための手段と、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、
少なくとも第１のセルクラスタと第２のセルクラスタとを形成するために、前記少なくとも１つの分離セルに基づいて前記セルクラスタを分離するための手段と、
前記第１のセルクラスタのための第１のＴＤＤサブフレーム構成と前記第２のセルクラスタのための第２のＴＤＤサブフレーム構成とを設定するための手段とを備える、ワイヤレス通信のための装置。
【請求項９】
前記少なくとも１つの分離セルを識別するための前記手段が、セルの前記セルクラスタ中のセル間の結合損失に基づき、ここで、前記セルクラスタからの前記分離セルの分離が前記セルクラスタを少なくとも第１のセルクラスタと第２のセルクラスタとに分割する、請求項８に記載の装置。
【請求項１０】
前記第２のＴＤＤサブフレーム構成の１つ以上のアップリンクサブフレームと共存する、前記第１のＴＤＤサブフレーム構成の１つ以上のダウンリンクサブフレームを非アンカーサブフレームに指定するための手段と、
前記分離セルの前記非アンカーサブフレームの前記１つ以上のダウンリンクサブフレームをオールモストブランクサブフレーム（ＡＢＳ）として構成するための手段とをさらに備える、請求項８に記載の装置。
【請求項１１】
前記分離セルの前記ＴＤＤサブフレーム構成が、アップリンクサブフレームよりも多いダウンリンクサブフレームを備える、請求項１０に記載の装置。
【請求項１２】
前記第２のＴＤＤサブフレーム構成の１つ以上のアップリンクサブフレームと共存する、前記第１のＴＤＤサブフレーム構成の１つ以上のアップリンクサブフレームをアンカーサブフレームに指定するための手段と、
前記第２のＴＤＤサブフレーム構成の１つ以上のダウンリンクサブフレームと共存する、前記第１のＴＤＤサブフレーム構成の１つ以上のダウンリンクサブフレームを前記アンカーサブフレームに指定するための手段と、
少なくとも、前記分離セルの前記アンカーサブフレーム中の前記１つ以上のアップリンクサブフレームのうちの１つにアップリンク制御信号をシフトするか、または前記分離セルの前記アンカーサブフレーム中の前記１つ以上のダウンリンクサブフレームのうちの１つにダウンリンク制御信号をシフトするための手段とをさらに備える、請求項８に記載の装置。
【請求項１３】
前記第２のＴＤＤサブフレーム構成の１つ以上のアップリンクサブフレームと共存する、前記第１のＴＤＤサブフレーム構成の１つ以上のアップリンクサブフレームをアンカーサブフレームに指定するための手段と、
前記分離セルへの１つ以上のアップリンク送信をスケジュールするための手段と、前記１つ以上のアップリンク送信が前記アンカーサブフレームの前記１つ以上のアップリンクサブフレームに限定されるをさらに備える、請求項８に記載の装置。
【請求項１４】
前記分離セルの前記ＴＤＤサブフレーム構成が、ダウンリンクサブフレームよりも多いアップリンクサブフレームを備える、請求項１３に記載の装置。
【請求項１５】
コンピュータで実行されたとき請求項１〜７のいずれか１項に従って方法を実行するためのコードを含むコンピュータプログラム。
【手続補正２】
【補正対象書類名】明細書
【補正対象項目名】００９５
【補正方法】変更
【補正の内容】
【００９５】
[00115]  添付の方法クレームは、様々なステップの要素を例示的な順序で提示したものであり、提示された特定の順序または階層に限定されるものではない。以上の説明は、本明細書で説明した様々な態様を当業者が実施できるようにするために与えたものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に本件出願当初の特許請求の範囲に記載された発明を付記する。
［１］  セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離することと、前記第１のセルクラスタのための第１のＴＤＤサブフレーム構成と前記第２のセルクラスタのための第２のＴＤＤサブフレーム構成とを設定することとを備える、ワイヤレス通信の方法。
［２］  前記少なくとも１つの分離セルを前記識別することが、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［１］に記載の方法。
［３］  前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定することと、前記分離セルの前記非アンカーサブフレームの前記１つまたは複数のダウンリンクサブフレームをオールモストブランクサブフレーム（ＡＢＳ）として構成することとをさらに備える、［１］に記載の方法。
［４］  前記分離セルの前記ＴＤＤサブフレーム構成が、アップリンクサブフレームよりも多いダウンリンクサブフレームを備える、［３］に記載の方法。
［５］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定することと、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトすることとをさらに備える、［１］に記載の方法。
［６］  前記分離セルの前記ＴＤＤサブフレーム構成が、ダウンリンクサブフレームよりも多いアップリンクサブフレームを備える、［５］に記載の方法。
［７］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記分離セルへの１つまたは複数のアップリンク送信をスケジュールすることと、前記１つまたは複数のアップリンク送信が前記アンカーサブフレームの前記１つまたは複数のアップリンクサブフレームに限定されるをさらに備える、［１］に記載の方法。
［８］  前記少なくとも１つの分離セルとマクロセルとの間の結合損失がしきい値よりも大きいかどうかを判断することと、前記結合損失が前記しきい値よりも大きいとき、前記少なくとも１つの分離セルによって使用されるキャリア周波数を変更することとをさらに備える、［１］に記載の方法。
［９］  前記結合損失が前記しきい値よりも大きいとき、前記第１のＴＤＤサブフレーム構成が前記第１のセルクラスタのために設定され、前記第２のＴＤＤサブフレーム構成が前記第２のセルクラスタのために設定される、［８］に記載の方法。
［１０］  前記分離セルの１つまたは複数のアップリンクサブフレーム中で１つまたは複数のアップリンク送信をスケジュールすることを控えることと、前記分離セルの１つまたは複数のダウンリンクサブフレーム中で送信することを控えることとをさらに備える、［１］に記載の方法。
［１１］  セルクラスタ中の少なくとも１つの分離セルを識別するための手段と、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離するための手段と、前記第１のセルクラスタのための第１のＴＤＤサブフレーム構成と前記第２のセルクラスタのための第２のＴＤＤサブフレーム構成とを設定するための手段とを備える、ワイヤレス通信のための装置。
［１２］  前記少なくとも１つの分離セルを識別するための前記手段が、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［１１］に記載の装置。
［１３］  前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定するための手段と、前記分離セルの前記非アンカーサブフレームの前記１つまたは複数のダウンリンクサブフレームをオールモストブランクサブフレーム（ＡＢＳ）として構成するための手段とをさらに備える、［１１］に記載の装置。
［１４］  前記分離セルの前記ＴＤＤサブフレーム構成が、アップリンクサブフレームよりも多いダウンリンクサブフレームを備える、［１３］に記載の装置。
［１５］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定するための手段と、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定するための手段と、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトするための手段とをさらに備える、［１１］に記載の装置。
［１６］  前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定するための手段と、前記分離セルへの１つまたは複数のアップリンク送信をスケジュールするための手段と、前記１つまたは複数のアップリンク送信が前記アンカーサブフレームの前記１つまたは複数のアップリンクサブフレームに限定されるをさらに備える、［１１］に記載の装置。
［１７］  前記分離セルの前記ＴＤＤサブフレーム構成が、ダウンリンクサブフレームよりも多いアップリンクサブフレームを備える、［１６］に記載の装置。
［１８］  前記少なくとも１つの分離セルとマクロセルとの間の結合損失がしきい値よりも大きいかどうかを判断するための手段と、前記結合損失が前記しきい値よりも大きいとき、前記少なくとも１つの分離セルによって使用されるキャリア周波数を変更するための手段とをさらに備える、［１１］に記載の装置。
［１９］  前記結合損失が前記しきい値よりも大きいとき、前記第１のＴＤＤサブフレーム構成が前記第１のセルクラスタのために設定され、前記第２のＴＤＤサブフレーム構成が前記第２のセルクラスタのために設定される、［１８］に記載の装置。
［２０］  前記分離セルの１つまたは複数のアップリンクサブフレーム中で１つまたは複数のアップリンク送信をスケジュールすることを控えるための手段と、前記分離セルの１つまたは複数のダウンリンクサブフレーム中で送信することを控えるための手段とをさらに備える、［１１］に記載の装置。
［２１］  セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離することと、前記第１のセルクラスタのための第１のＴＤＤサブフレーム構成と前記第２のセルクラスタのための第２のＴＤＤサブフレーム構成とを設定することとを行うように構成された処理システムを備える、ワイヤレス通信のための装置。
［２２］  前記少なくとも１つの分離セルを前記識別することが、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［２１］に記載の装置。
［２３］  前記処理システムが、前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定することと、前記分離セルの前記非アンカーサブフレームの前記１つまたは複数のダウンリンクサブフレームをオールモストブランクサブフレーム（ＡＢＳ）として構成することとを行うようにさらに構成された、［２１］に記載の装置。
［２４］  前記分離セルの前記ＴＤＤサブフレーム構成が、アップリンクサブフレームよりも多いダウンリンクサブフレームを備える、［２３］に記載の装置。
［２５］  前記処理システムが、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定することと、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトすることとを行うようにさらに構成された、［２１］に記載の装置。
［２６］  前記処理システムは、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記分離セルへの１つまたは複数のアップリンク送信をスケジュールすることと、前記１つまたは複数のアップリンク送信が前記アンカーサブフレームの前記１つまたは複数のアップリンクサブフレームに限定されるを行うようにさらに構成された、［２１］に記載の装置。
［２７］  前記分離セルの前記ＴＤＤサブフレーム構成が、ダウンリンクサブフレームよりも多いアップリンクサブフレームを備える、［２６］に記載の装置。
［２８］  前記処理システムは、前記少なくとも１つの分離セルとマクロセルとの間の結合損失がしきい値よりも大きいかどうかを判断することと、前記結合損失が前記しきい値よりも大きいとき、前記少なくとも１つの分離セルによって使用されるキャリア周波数を変更することとを行うようにさらに構成された、［２１］に記載の装置。
［２９］  前記結合損失が前記しきい値よりも大きいとき、前記第１のＴＤＤサブフレーム構成が前記第１のセルクラスタのために設定され、前記第２のＴＤＤサブフレーム構成が前記第２のセルクラスタのために設定される、［２８］に記載の装置。
［３０］  前記処理システムが、前記分離セルの１つまたは複数のアップリンクサブフレーム中で１つまたは複数のアップリンク送信をスケジュールすることを控えることと、前記分離セルの１つまたは複数のダウンリンクサブフレーム中で送信することを控えることとを行うようにさらに構成された、［２１］に記載の装置。
［３１］  セルクラスタ中の少なくとも１つの分離セルを識別することと、前記セルクラスタが、共通の時分割複信（ＴＤＤ）サブフレーム構成を有する少なくとも２つのセルを備え、ここにおいて、前記セルクラスタ中の１つのセルと前記セルクラスタ中の少なくとも別のセルとの間の結合損失が、あらかじめ定義されたしきい値よりも低い、少なくとも第１のセルクラスタと第２のセルクラスタとを形成するために、前記少なくとも１つの分離セルに基づいて前記セルクラスタを分離することと、前記第１のセルクラスタのための第１のＴＤＤサブフレーム構成と前記第２のセルクラスタのための第２のＴＤＤサブフレーム構成とを設定することとを行うためのコードを備えるコンピュータ可読媒体を備える、コンピュータプログラム製品。
［３２］  前記少なくとも１つの分離セルを前記識別することが、セルの前記クラスタ中のセル間の結合損失に基づき、ここで、前記セルクラスタからの前記分離セルの分離が前記セルクラスタを少なくとも第１のセルクラスタと第２のセルクラスタとに分割する、［３１］に記載のコンピュータプログラム製品。
［３３］  前記コンピュータ可読媒体が、前記第２のＴＤＤサブフレーム構成の１つまたは複数のアップリンクサブフレームと共存する、前記第１のＴＤＤサブフレーム構成の１つまたは複数のダウンリンクサブフレームを非アンカーサブフレームに指定することと、前記分離セルの前記非アンカーサブフレームの前記１つまたは複数のダウンリンクサブフレームをオールモストブランクサブフレーム（ＡＢＳ）として構成することとを行うためのコードをさらに備える、［３１］に記載のコンピュータプログラム製品。
［３４］  前記分離セルの前記ＴＤＤサブフレーム構成が、アップリンクサブフレームよりも多いダウンリンクサブフレームを備える、［３３］に記載のコンピュータプログラム製品。
［３５］  前記コンピュータ可読媒体が、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記第２のＴＤＤサブフレーム構成の１つまたは複数のダウンリンクサブフレームと共存する、前記第１のＴＤＤサブフレーム構成の１つまたは複数のダウンリンクサブフレームを前記アンカーサブフレームに指定することと、少なくとも、前記分離セルの前記アンカーサブフレーム中の前記１つまたは複数のアップリンクサブフレームのうちの１つにアップリンク制御信号をシフトするか、または前記分離セルの前記アンカーサブフレーム中の前記１つまたは複数のダウンリンクサブフレームのうちの１つにダウンリンク制御信号をシフトすることとを行うためのコードをさらに備える、［３１］に記載のコンピュータプログラム製品。
［３６］  前記コンピュータ可読媒体は、前記第２のＴＤＤサブフレーム構成の１つまたは複数のアップリンクサブフレームと共存する、前記第１のＴＤＤサブフレーム構成の１つまたは複数のアップリンクサブフレームをアンカーサブフレームに指定することと、前記分離セルへの１つまたは複数のアップリンク送信をスケジュールすることと、前記１つまたは複数のアップリンク送信が前記アンカーサブフレームの前記１つまたは複数のアップリンクサブフレームに限定されるを行うためのコードをさらに備える、［３１］に記載のコンピュータプログラム製品。
［３７］  前記分離セルの前記ＴＤＤサブフレーム構成が、ダウンリンクサブフレームよりも多いアップリンクサブフレームを備える、［３１］に記載のコンピュータプログラム製品。
［３８］  前記コンピュータ可読媒体は、前記少なくとも１つの分離セルとマクロセルとの間の結合損失がしきい値よりも大きいかどうかを判断することと、前記結合損失が前記しきい値よりも大きいとき、前記少なくとも１つの分離セルによって使用されるキャリア周波数を変更することとを行うためのコードをさらに備える、［３１］に記載のコンピュータプログラム製品。
［３９］  前記結合損失が前記しきい値よりも低いとき、前記第１のＴＤＤサブフレーム構成が前記第１のセルクラスタのために設定され、前記第２のＴＤＤサブフレーム構成が前記第２のセルクラスタのために設定される、［３８］に記載のコンピュータプログラム製品。
［４０］  前記コンピュータ可読媒体が、前記分離セルの１つまたは複数のアップリンクサブフレーム中で１つまたは複数のアップリンク送信をスケジュールすることを控えることと、前記分離セルの１つまたは複数のダウンリンクサブフレーム中で送信することを控えることとを行うためのコードをさらに備える、［３１］に記載のコンピュータプログラム製品。